(57)【特許請求の範囲】
【請求項１】
ヘッドセットマイクを利用し、所在環境の騒音信号を採取することと、
接続された端末に前記騒音信号を発信する、または接続された端末に前記騒音信号に対応する騒音値を発信することと、
前記端末から返された判断結果を受信し、前記判断結果に基づき、騒音低減機能を起動させるまたは騒音低減機能を停止させることと、
前記判断結果に基づき、信号対雑音比を保持するようにヘッドセットの音量レベルを調整することと、を含むことを特徴とするヘッドセットの騒音低減方法。
【請求項２】
前述したヘッドセットマイクを利用し、所在環境の騒音信号を採取することは、具体的に、
プリセット検出間隔ごとに、ヘッドセットマイクを利用し、所在環境の騒音信号を採取することであることを特徴とする請求項１に記載のヘッドセットの騒音低減方法。
【請求項３】
前述したヘッドセットマイクを利用し、所在環境の騒音信号を採取することは、具体的に、
前回所在環境の騒音信号を採取する地理位置から離れた距離がプリセット距離より小さくない場合、ヘッドセットマイクを利用し、所在環境の騒音信号を採取することであることを特徴とする請求項１に記載のヘッドセットの騒音低減方法。
【請求項４】
前述した接続された端末に前記騒音信号に対応する騒音値を発信することは、具体的に、
一部の前記騒音信号をサンプリングチャネルに入力する、
前記サンプリングチャネルにおいて、一部の前記騒音信号に対してアナログデジタル変換を行い、前記騒音信号の騒音値を生成する、
接続された端末に前記騒音信号に対応する騒音値を発信することであることを特徴とする請求項１に記載のヘッドセットの騒音低減方法。
【請求項５】
前記ヘッドセットマイクが所在環境の騒音信号を採取した後、環境の騒音信号を二つに分け、一つがＡＤＣ変換により数値的な計算を行い、騒音信号のデシベル値を獲得し、他の一つがアナログ信号として主動騒音低減モジュールに入力されることを特徴とする請求項１に記載のヘッドセットの騒音低減方法。
【請求項６】
前記ヘッドセットマイクが所在環境の騒音信号を採取した後、環境の騒音信号を直接に主動騒音低減モジュールに入力し、モジュール内部で計算してかつ騒音信号のデシベル値を返すことを特徴とする請求項１に記載のヘッドセットの騒音低減方法。
【請求項７】
端末が騒音信号のデシベル値を受信した後、それを分析し、以下の二つの内容を返し、
第一の内容は、端末が、現在環境の騒音信号に対する分析結果を表示し、かつ分析してユーザにヘッドセットを使用するアドバイスを提供することであり、
第二の内容は、ヘッドセットに対応した命令を自動的に送信し、ヘッドセットの機能を現在騒音環境に最適な使用状態に調節することであることを特徴とする請求項５又は請求項６に記載のヘッドセットの騒音低減方法。
【請求項８】
端末でヘッドセットを制御して最適な使用状態に達しても、端末に又はヘッドセットに調節を行い、手作業でヘッドセットの最終使用状態を調整することができることを特徴とする請求項７に記載のヘッドセットの騒音低減方法。
【請求項９】
前述した前記端末から返された前記判断結果を受信し、前記判断結果に基づき、騒音低減機能を起動させるまたは騒音低減機能を停止させることは、具体的に、
騒音低減を起動する判断結果及び騒音低減を停止する判断結果を含む、前記端末から返された前記判断結果を受信することと、
前記判断結果が騒音低減を起動する判断結果である場合、騒音低減機能を起動させることと、
前記判断結果が騒音低減を停止する判断結果である場合、騒音低減機能を停止させることであることを特徴とする請求項２に記載のヘッドセットの騒音低減方法。
【請求項１０】
ヘッドセットマイクを利用し、所在環境の騒音信号を採取するための騒音信号採取モジュールと、
接続された端末に前記騒音信号を発信する、または接続された端末に前記騒音信号に対応する騒音値を発信するための騒音信号送信モジュールと、
前記端末から返された判断結果を受信し、前記判断結果に基づき、騒音低減機能を起動させるまたは騒音低減機能を停止させるための騒音低減機能モジュールと、を含み、
前記騒音低減機能モジュールは、前記判断結果に基づき、信号対雑音比を保持するようにヘッドセットの音量レベルを調整することを特徴とするヘッドセットの騒音低減装置。
【請求項１１】
前記騒音信号採取モジュールは、具体的に、プリセット検出間隔ごとに、ヘッドセットマイクを利用し、所在環境の騒音信号を採取するためのものであることを特徴とする請求項１０に記載のヘッドセットの騒音低減装置。
【請求項１２】
前記騒音信号採取モジュールは、具体的に、前回所在環境の騒音信号を採取する地理位置から離れた距離がプリセット距離より小さくない場合、ヘッドセットマイクを利用し、所在環境の騒音信号を採取するためのものであることを特徴とする請求項１０に記載のヘッドセットの騒音低減装置。
【請求項１３】
前記騒音信号送信モジュールは、
一部の前記騒音信号をサンプリングチャネルに入力するための騒音信号入力ユニットと、
前記サンプリングチャネルにおいて、一部の前記騒音信号に対してアナログデジタル変換を行い、前記騒音信号の騒音値を生成するためのデシベル生成ユニットと、
接続された端末に前記騒音信号に対応する騒音値を発信するためのデシベル送信ユニットと、を含むことを特徴とする請求項１０に記載のヘッドセットの騒音低減装置。
【請求項１４】
前記騒音低減機能モジュールは、
騒音低減を起動する判断結果及び騒音低減を停止する判断結果を含む、前記端末から返された前記判断結果を受信するための判断結果受信ユニットと、
前記判断結果が騒音低減を起動する判断結果である場合、騒音低減機能を起動させるための騒音低減機能起動ユニットと、
前記判断結果が騒音低減を停止する判断結果である場合、騒音低減機能を停止させるための騒音低減機能停止ユニットと、を含むことを特徴とする請求項１０に記載のヘッドセットの騒音低減装置。
【発明の詳細な説明】
【技術分野】
【０００１】
本発明は、ウェアラブル装置の技術分野に属し、特にヘッドセットの騒音低減方法及び装置に関する。
【背景技術】
【０００２】
騒音汚染は、国際公認の四つの汚染中の一つとして、都市化の発展と技術の進歩につれて、益々深刻になる。ユーザが端末の外付けヘッドセットによりオーディオを再生する際、ヘッドセットの騒音低減方法により、環境の騒音信号を低減させ、ユーザの聴覚を保護することができる。
【０００３】
従来使用されたヘッドセットの騒音低減方法は、二つの実現方式がある。第一の方式は、耳に入れないようにヘッドセットにより物理的に騒音を隔離することである。第二の方式は、ヘッドセットが騒音を採取したところ、耳が感知できないようにヘッドセットの内部で騒音を逆位相で重ね合わせて、ヘッドセットに入った騒音を打ち消し合うことである。
【０００４】
しかしながら、従来のヘッドセットの騒音低減方法では、ヘッドセットに騒音低減を調節するボタンまたはトグルスイッチを配置する必要があるので、ヘッドセットの高度な集積に不利であり、かつ騒音低減機能をタイムリーに開閉することができない。これは、従来のヘッドセットの騒音低減方法において、例えば第一の方式及び第二の方式では、いずれもヘッドセットにおけるボタンまたはトグルスイッチにより、手作業でヘッドセットの騒音低減機能を開閉する必要がある。ユーザの主観的な判断ミス又は集中力不足のせいで、このような方式は、騒音低減機能に対する不適切な使用をもたらすことが多いからである。例えば、騒音が耳の聴覚を損害する程度に達する際に騒音低減機能をタイムリーに開けないと、自分の聴覚を損害させられる。または、環境の騒音信号が既に聞こえない場合でも、騒音低減機能が開いているため、騒音低減機能をタイムリーに開閉することができず、必要でないエネルギー消費を引き起こし、ヘッドセットの航続能力を低下させる。それに、従来のヘッドセットの騒音低減方法において、メーカがヘッドセットに騒音低減を調節するハードウェアを配置する必要があるので、ヘッドセットの集積度を低下させる。
【発明の概要】
【発明が解決しようとする課題】
【０００５】
本発明の実施態様の目的は、ヘッドセットの騒音低減方法を提供することにあり、従来のヘッドセットの騒音低減方法において、ヘッドセットに騒音低減を調節するボタンまたはトグルスイッチを配置する必要があるので、ヘッドセットの高度な集積に不利であり、かつ騒音低減をタイムリーに開閉することができなという問題を解決することを旨とする。
【課題を解決するための手段】
【０００６】
［技術的解決手段］  本発明の実施態様は以下のように実現されている。
【０００７】
ヘッドセットマイクを利用し、所在環境の騒音信号を採取することと、
接続された端末に前記騒音信号を発信する、または接続された端末に前記騒音信号に対応する騒音値を発信することと、
前記端末から返された判断結果を受信し、前記判断結果に基づき、騒音低減機能を起動させるまたは騒音低減機能を停止させることと、を含むヘッドセットの騒音低減方法。
【０００８】
本発明の実施態様の他の目的は、
ヘッドセットマイクを利用し、所在環境の騒音信号を採取するための騒音信号採取モジュールと、
接続された端末に前記騒音信号を発信する、または接続された端末に前記騒音信号に対応する騒音値を発信するための騒音信号送信モジュールと、
前記端末から返された判断結果を受信し、前記判断結果に基づき、騒音低減機能を起動させるまたは騒音低減機能を停止させるための騒音低減機能モジュールと、を含むヘッドセットの騒音低減装置を提供することにある。
【発明の効果】
【０００９】
［有益な効果］
本発明の実施態様において、前記端末から返された判断結果を受信し、前記判断結果に基づき、騒音低減機能を起動させるまたは騒音低減機能を停止させることにより、従来のヘッドセットの騒音低減方法において、ヘッドセットに騒音低減を調節するボタンまたはトグルスイッチを設置する必要があるので、ヘッドセットの高度な集積に不利であり、かつ騒音低減機能をタイムリーに開閉することができないという問題を解決した。有益な効果は、一方では、メーカがヘッドセットに騒音低減を調節するハードウェアを設置する必要がないこと、他方では、自動的な騒音低減を実現することにある。ヘッドセットにおけるボタンまたはトグルスイッチが不要である前提において、騒音低減機能をタイムリーに開閉することができることにより、ヘッドセットの集積度を向上させるだけではなく、また必要でないエネルギー消費を低下させ、ヘッドセットの航続能力を高める。
【図面の簡単な説明】
【００１０】
［図面の説明］
【図１】本発明の実施態様によるヘッドセットの騒音低減方法の実現フロー図である。
【図２】本発明の実施態様によるヘッドセットの騒音低減方法Ｓ１０２の実施フロー図である。
【図３】本発明の実施態様によるヘッドセットの騒音低減方法Ｓ１０３の実施フロー図である。
【図４】本発明の実施態様によるヘッドセットの騒音低減装置の第一構造ブロック図である。
【図５】本発明の実施態様によるヘッドセットの騒音低減装置の第二構造ブロック図である。
【図６】本発明の実施態様によるヘッドセットの騒音低減装置の第三構造ブロック図である。
【発明を実施するための形態】
【００１１】
［発明の実施例］
本発明の目的、技術的解決手段及び利点をより明らかにするために、以下、図面及び実施態様を結合させて本発明をより詳細に説明する。ここで説明される具体的な実施態様は本発明を解釈するためのものに過ぎず、本発明を限定するためのものではないことを理解すべきである。
［実施例１］
図１は、本発明の実施態様によるヘッドセットの騒音低減方法の実現フロー図であり、詳細な説明が以下のとおりである。
【００１２】
ステップＳ１０１において、ヘッドセットマイクを利用し、所在環境の騒音信号を採取する。
【００１３】
ここで、ヘッドセットマイクを利用し、所在環境の騒音信号を採取することは、二つの実施方式があり、詳細な説明が以下のとおりである。
【００１４】
第一の実施形態は、
プリセット検出間隔ごとに、ヘッドセットマイクを利用し、所在環境の騒音信号を採取することである。
【００１５】
通常、環境の騒音信号が一定時間内に大きく変化しないため、プリセット検出間隔ごとに環境の騒音信号に対して検出を行うことで、さらにヘッドセットの電気エネルギー消費を節約することが出来ることを説明する必要がある。
【００１６】
第二の実施方式は、
前回所在環境の騒音信号を採取する地理位置から離れた距離がプリセット距離より小さくない場合、ヘッドセットマイクを利用し、所在環境の騒音信号を採取することである。
【００１７】
ヘッドセットは前回所在環境の騒音信号を検出する地理位置から離れた距離がプリセット距離を超えた場合、地理位置の距離により所在環境も変化する可能性があるため、そのとき再び所在環境の騒音信号に対して検出を行うと、ユーザに所在環境の騒音信号の強度変化情報をタイムリーに報知することができることを説明する必要がある。
ヘッドセットの移動距離がプリセット距離を越えないが、移動時間が長い場合がある可能性があるので、長い移動時間内に所在環境の騒音信号強度が大きく変化したとしても、リアルタイムに採取することができないことを避けるために、この場合、さらに、ステップＳ１０１は具体的に以下のとおりである。
【００１８】
ヘッドセットは、前回所在環境の騒音信号を検出する地理位置から離れた距離がプリセット距離を超えない場合、前回所在環境の騒音信号を検出する時間からの時間間隔がプリセット検出間隔を超えると、所在環境の騒音信号を検出することが取得される。
【００１９】
それによって、さらに所在環境の騒音信号検出の正確性及びリアルタイム性を向上させる。
【００２０】
同様に、ヘッドセット付けのＧＰＳ機能により現在ヘッドセットが前回所在環境の騒音信号を検出する地理位置から離れた距離を獲得することで、前記ヘッドセットが前回所在環境の騒音信号を検出する地理位置から離れた距離がプリセット距離を越えないかどうかを判断することができることを説明する必要がある。  
ステップＳ１０２において、接続された端末に前記騒音信号を発信する、または接続された端末に前記騒音信号に対応する騒音値を発信する。
【００２１】
ここで、接続された端末に前記騒音信号を直接に発信してもよく、前記騒音信号にサンプリングを行い、前記騒音信号に対応する騒音値を生成し、接続された端末に前記騒音信号に対応する騒音値を発信してもよい。ここで、前記端末は、有線又は無線方式によりヘッドセットとの命令又はデータ交互を行う設備である。
【００２２】
前記端末は、スマートフォン、タブレットパソコン、ノートパソコン、デスクトップパソコン、インテリジェントテレビを含むが、それらに限らない。
【００２３】
ヘッドセットと端末とは、いずれか一種の有線方式で接続してもよく、またはいずれか一種の無線方式で接続してもよく、無線方式は、ブルートゥース（登録商標）、ＷＩＦＩ、３Ｇ、４Ｇ、５Ｇを含むが、それらに限らないことを説明する必要がある。ここで、ヘッドセットにディスプレイスクリーンがないので、機能上だけで騒音低減を起動又は停止させるようになって、ユーザにあらゆる可視化の情報及びアドバイスを提供できず、ユーザに騒音低減を制御する柔軟な方案も提供できない。接続された端末に前記騒音信号または前記騒音信号に対応する騒音値を発信することにより、ヘッドセットが騒音信号に判断を行う必要がなく、かつヘッドセットのコントローラがデータを処理する負担を低下させる同時に、接続された端末から送信した騒音低減を制御する方案を受信することもできる。
【００２４】
ステップＳ１０３において、前記端末から返された判断結果を受信し、前記判断結果に基づき、騒音低減機能を起動させる又は騒音低減機能を停止させる。
【００２５】
ヘッドセットは、予め設置された通信インターフェースにより、前記端末から返された判断結果を受信し、前記判断結果に基づき、騒音低減機能の現在状態が前記判断結果に一致するかどうかを判断する。一致する場合、騒音低減機能の現在状態を維持する。一致しない場合、騒音低減機能の現在状態を変え、騒音低減機能を起動させる又は騒音低減機能を停止させる。
【００２６】
本発明の実施態様において、前記端末から返された判断結果を受信し、前記判断結果に基づき、騒音低減機能を起動させる又は騒音低減機能を停止させることで、従来のヘッドセットの騒音低減方法において、ヘッドセットに騒音低減を調節するボタンまたはトグルスイッチを配置する必要があるので、ヘッドセットの高度な集積に不利であり、かつ騒音低減をタイムリーに開閉することができないという問題を解決した。伝統的な手作業での騒音低減を自動的な騒音低減に変えることで、ヘッドセットがより人間化及び知能化になる同時に、さらに耳に優しいというユーザのニーズを満たすようになる。
［実施例２］
図２は、本発明の実施態様によるヘッドセットの騒音低減方法Ｓ１０２の実施フロー図であり、詳細な説明が以下のとおりである。
【００２７】
ステップＳ２０１において、一部の前記騒音信号をサンプリングチャネルに入力する；
ステップＳ２０２において、前記サンプリングチャネルにおいて、一部の前記騒音信号に対してアナログデジタル変換を行い、前記騒音信号の騒音値を生成する；
ステップＳ２０３において、接続された端末に前記騒音信号に対応する騒音値を発信する。
【００２８】
本発明の実施態様において、端末が騒音信号に基づいて生成した判断結果を受信し、前記判断結果に基づき、騒音低減機能を起動させる又は騒音低減機能を停止させるように、接続された端末に前記騒音信号に対応する騒音値を発信する。
［実施例３］
図３は、本発明の実施態様によるヘッドセットの騒音低減方法Ｓ１０３の実施フロー図であり、詳細な説明が以下のとおりである。
【００２９】
ステップＳ３０１において、騒音低減を起動する判断結果及び騒音低減を停止する判断結果を含む、前記端末から返された前記判断結果を受信する。
【００３０】
ステップＳ３０２において、前記判断結果が騒音低減を起動する判断結果である場合、騒音低減機能を起動させる。
【００３１】
前記判断結果が騒音低減を起動する判断結果である場合、ヘッドセットの騒音低減機能の現在状態が起動状態であるかどうかを検出し、ヘッドセットの騒音低減機能の現在状態が起動状態ではない場合、騒音低減機能を起動させる。
【００３２】
ステップＳ３０３において、前記判断結果が騒音低減を停止する判断結果である場合、騒音低減機能を停止させる。
【００３３】
前記判断結果が騒音低減を停止する判断結果である場合、ヘッドセットの騒音低減機能の現在状態が停止状態であるかどうかを検出し、ヘッドセットの騒音低減機能の現在状態が停止状態ではない場合、騒音低減機能を停止させる。
【００３４】
本発明の実施態様において、判断結果に基づき、騒音低減機能を起動させるまたは騒音低減機能を停止させることで、ヘッドセットの自動的な騒音低減機能を実現し、ヘッドセットの集積度を向上させ、また必要でないエネルギー消費を低下させ、ヘッドセットの航続能力を高める。
［実施例４］
本発明の実施態様は、主に、実際応用における本発明の好ましい実施プロセスを述べる。詳細な説明が以下のとおりである。
【００３５】
ヘッドセットマイクが環境の騒音信号を採取した後、二つの処理方式がある。
【００３６】
アナログ騒音低減技術を使用する場合、環境の騒音信号を二つに分け、一つがＡＤＣ変換により数値的な計算を行い、騒音信号のデシベル値を獲得し、他の一つがアナログ信号として主動騒音低減モジュールに入力される。
【００３７】
デジタル騒音低減技術を使用する場合、環境の騒音信号を直接に主動騒音低減モジュールに入力し、モジュール内部で計算してかつ騒音信号のデシベル値を返す。
【００３８】
このデシベル値は、いずれか一種の伝送方式により端末に伝送される。例えば、伝送方式はブルートゥース（登録商標）、ＷＩＦＩ、３Ｇ、４Ｇ、５Ｇの伝送方式を含むが、それらを限らない。
【００３９】
端末は、騒音信号のデシベル値を受信した後、それに分析を行い、二つの内容を返す。
【００４０】
第一の内容は、端末が、現在環境の騒音信号に対する分析結果を表示し、かつ分析してユーザにヘッドセットを使用するアドバイスを提供することである；
第二の内容は、ヘッドセットに対応した命令を自動的に送信し、ヘッドセットの機能を現在騒音環境に最適な使用状態に調節することである。
【００４１】
ユーザは、端末でヘッドセットを制御して達した最適な使用状態を受けない場合、端末に又はヘッドセットに調節を行い、ヘッドセットの使用状態を調整する。
［実施例５］
本発明の実施態様は、主に、三つの異なった情景における本発明の好ましい実施プロセスを述べる。詳細な説明が以下のとおりである。
【００４２】
第一情景において、ヘッドセットが採取した環境の騒音信号デシベル値について、スマートフォンより騒音低減アドバイスを提供する。詳細な説明が以下のとおりである。
【００４３】
ヘッドセットマイクが環境の騒音信号を採取した後、環境の騒音信号を二つに分け、一つがＡＤＣ変換により数値的な計算を行い、環境の騒音信号のデシベル値８０ｄＢを獲得する。
【００４４】
獲得されたデシベル値は、ブルートゥース（登録商標）によりスマートフォンに伝送される。
【００４５】
スマートフォンは、デシベル値を受信した後、それを分析したところ、８０ｄＢが耳の聴覚を顕著に損害してかつユーザが音量を大きく調整しすぎたことが分かる。
【００４６】
騒音低減機能を起動させた後、現在ユーザが使用した音量レベルが相対的に大きすぎるという状況になったため、スマートフォンに分析結果及び使用アドバイスが表示される。分析結果及び使用アドバイスは以下のとおりである。
【００４７】
聴覚を保護するように、ユーザにヘッドセットの騒音低減機能を起動させ、かつヘッドセット又はスマートフォンの音量を下げるというアドバイスを提供する。
【００４８】
次に、スマートフォンはヘッドセットに主動騒音低減機能を起動させるという命令を自動的に送信し、かつヘッドセットの音量レベルを下げる。
【００４９】
第二情景において、ヘッドセットが採取した環境の騒音信号デシベル値について、タブレットパソコンより騒音低減アドバイスを提供する。詳細な説明が以下のとおりである。
【００５０】
ヘッドセットマイクが環境の騒音信号を採取した後、環境の騒音信号を二つに分け、一つがＡＤＣ変換により数値的な計算を行い、環境の騒音信号のデシベル値２０ｄＢを獲得する。
【００５１】
獲得されたデシベル値は、ＷＩＦＩによりタブレットパソコンに伝送される。
【００５２】
タブレットパソコンは、デシベル値を受信した後、それを分析したところ、２０ｄＢが耳の聴覚を顕著に損害しなくかつ人間の耳にとって２０ｄＢの音声がほぼ聞こえないのに、現在ユーザが騒音低減機能を起動させることが分かる。従って、タブレットパソコンに分析結果及び使用アドバイスが表示される。主動騒音低減機能を停止させた後に、耳が聞こえる音声の信号対雑音比をそのまま保持するように、ユーザにヘッドセットの主動騒音低減機能を停止させてかつヘッドセット又はスマートフォンの音量レベルを上げるというアドバイスを提供する。
【００５３】
次に、ヘッドセットに主動騒音低減機能を停止させるという命令を自動的に送信し、かつヘッドセットの音量レベルを上げる。
【００５４】
第三情景において、ヘッドセットが採取した環境の騒音信号デシベル値について、ノートパソコンより騒音低減アドバイスを提供する。詳細な説明が以下のとおりである。
【００５５】
ヘッドセットマイクが環境の騒音信号を採取した後、環境の騒音信号を主動騒音低減モジュールに入力し、該モジュールで処理することで、現在環境の騒音信号のデシベル値６０ｄＢを出力する。
【００５６】
獲得されたデシベル値は、ＵＳＢによりタブレットパソコンに伝送される。
【００５７】
タブレットパソコンは、デシベル値を受信した後、それを分析したところ、６０ｄＢが耳の聴覚を顕著に損害し、かつ現在ユーザが騒音低減機能を起動することが分かる。従って、ノートパソコンに分析結果及び使用アドバイスが表示され、ユーザが現在の使用状態を保持するというアドバイスを提供する。
【００５８】
ノートパソコンは、ヘッドセットにいかなる命令を送信しない。
［実施例６］
図４は、本発明の実施態様によるヘッドセットの騒音低減装置の第一構造ブロック図である。該ヘッドセットの騒音低減装置はヘッドセットに稼働することができる。便利に説明するために、本実施態様に関わる部分だけを示す。
【００５９】
図４に示されるように、該ヘッドセットの騒音低減装置は、
ヘッドセットマイクを利用し、所在環境の騒音信号を採取するための騒音信号採取モジュール４１と、
接続された端末に前記騒音信号を発信する、または接続された端末に前記騒音信号に対応する騒音値を発信するための騒音信号送信モジュール４２と、
前記端末から返された判断結果を受信し、前記判断結果に基づき、騒音低減機能を起動させるまたは騒音低減機能を停止させるための騒音低減機能モジュール４３と、を含む。
【００６０】
本実施態様の一つの実現方式おいて、該ヘッドセットの騒音低減装置の中に、前記騒音信号採取モジュール４１は、具体的に、プリセット検出間隔ごとに、ヘッドセットマイクを利用し、所在環境の騒音信号を採取するためのものである。
【００６１】
本実施態様の一つの実現方式おいて、該ヘッドセットの騒音低減装置の中に、前記騒音信号採取モジュール４１は、具体的に、前回所在環境の騒音信号を採取する地理位置から離れた距離がプリセット距離より小さくない場合、ヘッドセットマイクを利用し、所在環境の騒音信号を採取するためのものである。
【００６２】
図５は、本発明の実施態様によるヘッドセットの騒音低減装置の第二構造ブロック図である。本実施態様の一つの実現方式において、図５に示されるように、該ヘッドセットの騒音低減装置の中に、前記騒音信号送信モジュール４２は、
一部の前記騒音信号をサンプリングチャネルに入力するに用いられた騒音信号入力ユニット４２１と、
前記サンプリングチャネルにおいて、一部の前記騒音信号に対してアナログデジタル変換を行い、前記騒音信号の騒音値を生成するためのデシベル生成ユニット４２２と、
接続された端末に前記騒音信号に対応する騒音値を発信するためのデシベル送信ユニット４２３と、を含む。
【００６３】
図６は、本発明の実施態様によるヘッドセットの騒音低減装置の第三構造ブロック図である。本実施態様の一つの実現方式において、図６に示されるように、該ヘッドセットの騒音低減装置の中に、前記騒音低減機能モジュール４３は、
騒音低減を起動する判断結果及び騒音低減を停止する判断結果を含む、前記端末から返された前記判断結果を受信するための判断結果受信ユニット４３１と、
前記判断結果が騒音低減を起動する判断結果である場合、騒音低減機能を起動させるための騒音低減機能起動ユニット４３２と、
前記判断結果が騒音低減を停止する判断結果である場合、騒音低減機能を停止させるための騒音低減機能停止ユニット４３３と、を含む。
上述した実施態様に詳細に説明したように、本発明の実施態様による装置は対応した前記方法実施例に応用されることができる。ここで再び説明する必要がない。
【００６４】
以上の本実施態様の説明によれば、当業者にとって、本発明が、ソフトウェアに加え、必要な通用ハードウェアによって実現されることは明らかである。前記プログラムは、例えばＲＡＭ、フラッシュメモリ、ＲＯＭ、プログラム可能ＲＯＭ、電気的消去可能プログラム可能メモリ、レジスター等のような読み取り可能な記憶媒体中に記憶されてもよい。該記憶媒体は記憶装置にあるものであり、プロセッサは記憶装置中の情報を読み取り、そのハードウェアを結合させて本発明の各実施態様に説明した方法を執行するようになる。
【００６５】
以上の説明は、本発明の具体的な実施態様に過ぎず、本発明の保護範囲を制限するためのものではない。当業者によって、本発明で掲示された技術範囲内で容易に想到するいかなる変形又は置換も、本発明の保護範囲に含まれるはずである。従って、本発明の保護範囲は特許請求の範囲を基準とする。
【図１】
0006489664.tif 000002
【図２】
0006489664.tif 000003
【図３】
0006489664.tif 000004
【図４】
0006489664.tif 000005
【図５】
0006489664.tif 000006
【図６】
0006489664.tif 000007